(57)【要約】【課題】  コンピュータの冷却装置の提供。【解決手段】  前板、後板、底板及び支持フレームを具え、該前板と該後板が平行とされ並びに底板に接続され、該底板の対応側に二つの支持フレームが設けられ、これら支持フレームが前板と後板の上方に接続されて矩形六面框体を形成し、別に前板に複数の収容溝が設けられてＦＤドライブ、ＣＤドライブ及び各種の異なるコネクタが収容され、これら収容溝の間隔部分に複数の放熱孔が設けられ、前板の放熱孔の設置によりコンピュータケース外部の気流がコンピュータ内部に導入され、電子装置の発生する熱量を排出し、良好な冷却効果を達成する。【選択図】        図２
0003104440.tif 000002
【実用新案登録請求の範囲】
【請求項１】
前板、後板、底板及び支持フレームを具え、該前板と該後板が平行とされ並びに底板に接続され、該底板の対応側に二つの支持フレームが設けられ、これら支持フレームが前板と後板の上方に接続されて矩形六面框体を形成し、別に前板に複数の収容溝が設けられてＦＤドライブ、ＣＤドライブ及び各種の異なるコネクタが収容され、これら収容溝の間隔部分に複数の放熱孔が設けられたことを特徴とする、コンピュータの冷却装置。
【請求項２】
請求項１記載のコンピュータの冷却装置において、前板の放熱孔が円形とされたことを特徴とする、コンピュータの冷却装置。
【請求項３】
請求項１記載のコンピュータの冷却装置において、前板の放熱孔が多角形とされたことを特徴とする、コンピュータの冷却装置。
【請求項４】
請求項１記載のコンピュータの冷却装置において、後板に開孔と冷却ファンが設けられ、該冷却ファンが該開孔に対応して設置され、別の該開孔と前板の放熱孔が平行に設置されて、コンピュータ内部の気流流動を順調とすることを特徴とする、コンピュータの冷却装置。
【請求項５】
請求項１記載のコンピュータの冷却装置において、框体の表面に取り付けられるケースを更に具えたことを特徴とする、コンピュータの冷却装置。
【請求項６】
請求項５記載のコンピュータの冷却装置において、ケースが前面板、上板及び側板を具え、該前面板が前板に設けられ、上板が前板、後板及び支持フレームの上面に設けられ並びに支持フレームと止め合わされ、別に該側板が前板、後板、底板及び支持フレームが形成する平面に取り付けられたことを特徴とする、コンピュータの冷却装置。
【請求項７】
請求項６記載のコンピュータの冷却装置において、ケースの前面板が多孔性材料で形成されたことを特徴とする、コンピュータの冷却装置。
【考案の詳細な説明】
【技術分野】
【０００１】
本考案は一種のコンピュータの冷却装置に係り、コンピュータ内部の気流流動量を増して前板とコンピュータ内部の電子装置の熱量を排出し、良好な冷却効果を達成するコンピュータの冷却装置に関する。
【背景技術】
【０００２】
科学情報テクノロジーの発展と進歩に伴い、コンピュータ関係領域の設計は、軽量化、薄型化、小型化が主軸となり、特にコンピュータの小型化の後、使用者が使用できる作業空間は広く、快適なものとなった。しかし、大幅にコンピュータの外形寸法の縮小に加え、コンピュータシステムの高速化、高周波数化に向けての発展により、コンピュータ内部の発熱量が増し、ゆえに良好な冷却効果を具えたコンピュータケースの構造が求められている。
【０００３】
周知のコンピュータの冷却装置は、図１に示されるように、前板１１ａ、後板１２ａ、底板１３ａ及び一組の支持フレーム１４ａを具えている。そのうち、該前板１１ａと後板１２ａは平行とされ底板１３ａの上に接続され、底板１３ａの対応側に二つの支持フレーム１４ａが設けられ、これら支持フレーム１４ａはそれぞれ前板１１ａと後板１２ａの上方に接続され、並びに矩形状の六面框体１０ａを形成している。また、該後板１２ａの上方に柵状開孔１２１ａが設けられ、且つその中間部分に複数の孔１２２ａが設けられている。コンピュータ内部には各種の異なる機能の電子装置、例えば、ハードディスク、ＣＤドライブ、電源供給器等が設けられ、そのうち、電源供給器の冷却ファンは、後板１２ａの柵状開孔１２１ａ部分に設けられ、該冷却ファンの運転により発生する気流を利用し、冷気流が框体１０ａの開孔１２２ａより導入され、さらに後板１２ａの柵状開孔１２１ａより排出され、全体のコンピュータ内部の電子装置に対する冷却が行なわれる。
【０００４】
しかし、周知のコンピュータの冷却装置は実際の使用上、以下のような問題点がある。
１．該柵状開孔１２１ａ及び開孔１２２ａはいずれも後板１２ａに設けられ、気流循環経路が僅かにコンピュータの公表の電子装置部分に限られ、コンピュータの中間及び前方の電子部品の発生する熱量については、流動する気流により熱を奪い取ることができない。
２．框体１０ａの左右両側は開放型空間とされ、周知のコンピュータの冷却装置はいずれもこれらの側面の囲い板（図示せず）に複数の穿孔が設けられて冷却を補助する。しかし、該コンピュータ内部に複数のメモリモジュール、グラフィックカード、或いはサウンドカード等の装置が設けられたり、或いは該コンピュータの所在の周辺環境が限られる（例えば側面が壁に隣接している）ために、これらの穿孔から進入する気流の流量が制限される。
【考案の開示】
【考案が解決しようとする課題】
【０００５】
本考案の主要な目的は、一種のコンピュータの冷却装置を提供することにある。それは、前板の放熱孔の設置により、框体外部の気流をコンピュータ内部に導入し、その前方及び中間の電子装置の熱量を奪い去り、並びにコンピュータ内部の気流動作エネルギーを増加し、良好な冷却効果を達成できるようにしたものとする。
【課題を解決するための手段】
【０００６】
請求項１の考案は、前板、後板、底板及び支持フレームを具え、該前板と該後板が平行とされ並びに底板に接続され、該底板の対応側に二つの支持フレームが設けられ、これら支持フレームが前板と後板の上方に接続されて矩形六面框体を形成し、別に前板に複数の収容溝が設けられてＦＤドライブ、ＣＤドライブ及び各種の異なるコネクタが収容され、これら収容溝の間隔部分に複数の放熱孔が設けられたことを特徴とする、コンピュータの冷却装置としている。
請求項２の考案は、請求項１記載のコンピュータの冷却装置において、前板の放熱孔が円形とされたことを特徴とする、コンピュータの冷却装置としている。
請求項３の考案は、請求項１記載のコンピュータの冷却装置において、前板の放熱孔が多角形とされたことを特徴とする、コンピュータの冷却装置としている。
請求項４の考案は、請求項１記載のコンピュータの冷却装置において、後板に開孔と冷却ファンが設けられ、該冷却ファンが該開孔に対応して設置され、別の該開孔と前板の放熱孔が平行に設置されて、コンピュータ内部の気流流動を順調とすることを特徴とする、コンピュータの冷却装置としている。
請求項５の考案は、請求項１記載のコンピュータの冷却装置において、框体の表面に取り付けられるケースを更に具えたことを特徴とする、コンピュータの冷却装置としている。
請求項６の考案は、請求項５記載のコンピュータの冷却装置において、ケースが前面板、上板及び側板を具え、該前面板が前板に設けられ、上板が前板、後板及び支持フレームの上面に設けられ並びに支持フレームと止め合わされ、別に該側板が前板、後板、底板及び支持フレームが形成する平面に取り付けられたことを特徴とする、コンピュータの冷却装置としている。
請求項７の考案は、請求項６記載のコンピュータの冷却装置において、ケースの前面板が多孔性材料で形成されたことを特徴とする、コンピュータの冷却装置としている。
【考案の効果】
【０００７】
本考案のコンピュータの冷却装置は、前板、後板、底板及び支持フレームを具え、該前板と該後板が平行とされ並びに底板に接続され、該底板の対応側に二つの支持フレームが設けられ、これら支持フレームが前板と後板の上方に接続されて矩形六面框体を形成し、別に前板に複数の収容溝が設けられてＦＤドライブ、ＣＤドライブ及び各種の異なるコネクタが収容され、これら収容溝の間隔部分に複数の放熱孔が設けられ、前板の放熱孔の設置によりコンピュータケース外部の気流がコンピュータ内部に導入され、電子装置の発生する熱量を排出し、良好な冷却効果を達成する。
【考案を実施するための最良の形態】
【０００８】
本考案のコンピュータの冷却装置は、前板、後板、底板及び支持フレームを具えている。そのうち、該前板と後板が平行とされ並びに底板に接続され、該底板の対応側に二つの支持フレームが設けられ、これら支持フレームが前板と後板の上方に接続されて矩形六面框体を形成し、別に前板に複数の収容溝が設けられてＦＤドライブ、ＣＤドライブ及び各種の異なるコネクタが収容され、これら収容溝の間隔部分に複数の放熱孔が設けられ、前板の放熱孔の設置によりコンピュータケース外部の気流がコンピュータ内部に導入され、電子装置の発生する熱量を排出し、上述の目的を達成する。
【実施例１】
【０００９】
図２は本考案の框体組合せ表示図である。本考案はコンピュータの冷却装置を提供し、それは、前板１１、後板１２、底板１３及び一組の支持フレーム１４を具えている。
【００１０】
該前板１１と後板１２は平行に対応し底板１３に接続され、該底板１３の対応側に二つの支持フレーム１４が設けられ、これら支持フレーム１４が前板１１と後板１２の上方部分に接続され、並びに矩形状の六面框体１０を形成している。該前板１１は金属板を加圧成形してなり、並びにその板片に第１収容溝１１１、第２収容溝１１２及び第３収容溝１１３が設けられて、第１収容溝１１１はメモリカードコネクタの設置に供され、第２収容溝１１２はＦＤドライブ或いはＣＤドライブの設置に供され、第３収容溝１１３は各種の異なる機能のコネクタの設置に供される。第１収容溝１１１、第２収容溝１１２、第３収容溝１１３の間隔部分に複数の放熱孔１１４が設けられ、これら放熱孔１１４は円形、矩形、或いは多角形の形態とされうるが、本実施例では円形とされている。また、該後板１２も金属板を加圧成形してなり、その上方に二つの相互に対応する柵状開孔１２１が設けられ、且つ中間に円形孔１２２が開設されている。
【００１１】
図３は本考案の好ましい実施例の組合せ表示図である。前板１１の第１収容溝１１１にメモリカードコネクタが設けられ、第２収容溝１１２にＣＤドライブ及びＦＤドライブが設けられ、第３収容溝１１３に各種の異なる機能のコネクタが設けられる。また、該底板１３の上にマザーボードが固定され、該マザーボードにプロセッサモジュール、メモリモジュール、サウンドカード及びグラフィックカード等各種の異なる機能の電子装置が設けられる。さらに、該後板１２の柵状開孔１２１に二組の冷却ファン（点線部分）が設けられ、これら冷却ファンの下方に電源供給器が設けられ、該電源供給器の冷却ファンがちょうど後板１２の孔１２２に位置し、以上でコンピュータの内部構造が形成されている。
【００１２】
図４、５は本考案とケースの組合せ図及び使用状態図である。それはさらにケース２０を具え、該ケース２０は框体１０の外表面に設けられ、前面板２１、逆Ｕ形上板２２、及び左右の側板２３を具えている。そのうち、前面板２１は前板１１の表面に設けられ、且つそれはプラスチック材料或いは多孔性材料で形成され、前板１１の第１、第２、第３収容溝１１１、１１２、１１３に対応するスロット２１１が設けられている。該上板２２は前板１１、後板１２及び支持フレーム１４の上面を被覆し、並びに二つの支持フレーム１４と止め合わされている。またこれら側板２３は前板１１、後板１２、底板１３及び支持フレーム１４が形成する平面に固定される。後板１２に取り付けられた冷却ファンが運転する時、前面板２１のスロット２１１と前板１１の第１、第２、第３収容溝１１１、１１２、１１３が相互に組み合わされた間隙部分、或いは前面板２１と上板２２及び側板２３の相互に接続されたスリットより、気流が前板１１の放熱孔１１４中に流入し、コンピュータケース前方及び中間に設けられた電子装置の発生する熱を奪い去り、全体の冷却性能が高められる。
【００１３】
以上述べたように、本考案のコンピュータの冷却装置は、少なくとも以下の長所を有している。即ち、前板に複数の放熱孔が設けられて、後板の冷却ファンと平行に対応し、有効に気流をコンピュータの内部に導入でき、前方及び中間部分に設けられた電子装置の発生する熱を奪わせることができる。また、放熱孔が前板に設けられたことにより、メモリモジュール、グラフィックカード或いはサウンドカード等の装置の妨害を回避でき、有効にコンピュータの環境による制限を解決できる。さらに、前面板が多孔性材料で形成され、通気性を具え、これにより外部の冷気流が順調のケース内部に導入されて、最良の冷却効果を達成できる。
【００１４】
総合すると、本考案のコンピュータの冷却装置は産業上の利用性、進歩性を具え、また本考案の構造はその出願前に頒布された刊行物にその記載がなく、また公開使用もなされていないため、新規性を有している。なお、以上の実施例は本考案の請求範囲を限定するものではなく、本考案に基づきなしうる細部の修飾或いは改変は、いずれも本考案の請求範囲に属するものとする。
【図面の簡単な説明】
【００１５】
【図１】周知のコンピュータの框体表示図である。
【図２】本考案の框体組合せ表示図である。
【図３】本考案の好ましい実施例の組合せ表示図である。
【図４】本考案の框体とケースの組合せ図である。
【図５】本考案の使用状態図である。
【符号の説明】
【００１６】
１０ａ  框体
１１ａ  前板                        １２ａ  後板
１２１ａ  柵状開孔                  １２２ａ  孔
１３ａ  底板                        １４ａ  支持フレーム
１０  框体
１１  前板                          １１１  第１収容溝
１１２  第２収容溝                  １１３  第３収容溝
１１４  放熱孔                      １２  後板
１２１  柵状開孔                    １２２  孔
１３  底板                          １４  支持フレーム
２０  ケース
２１  前面板                        ２１１  スロット
２２  上板                          ２３  側板
【図１】
0003104440.tif 000003
【図２】
0003104440.tif 000004
【図３】
0003104440.tif 000005
【図４】
0003104440.tif 000006
【図５】
0003104440.tif 000007